【手続補正書】
【提出日】平成16年1月7日(2004.1.7)
【手続補正１】
【補正対象書類名】明細書
【補正対象項目名】特許請求の範囲
【補正方法】変更
【補正の内容】
【特許請求の範囲】
【請求項１】
ページ中に含まれる広告に対するユーザからの指示に基づいて前記広告のリンク先であるリンクページへジャンプした場合、前記広告を指示したユーザをユニークに特定する接続情報と、前記ジャンプしたリンクページをユニークに特定する広告情報とによりユニークに定まる識別情報を受信する送受信手段と、
ユーザに関するユーザ情報を格納するユーザ情報格納手段と、
広告情報を格納する広告情報格納手段と、
前記送受信手段により受信された識別情報に基づいて、前記ユーザ情報格納手段に格納され、前記識別情報と関連付けられた広告情報を検索するユーザ情報検索手段と、
前記ユーザ情報検索手段により検索された広告情報に基づいて、前記広告情報格納手段に格納されている広告情報を検索する広告情報検索手段と、
前記広告情報検索手段により検索された広告情報が、販売価格の割引きまたはサービスポイントの加算を含むサービス情報と関連付けられているか否かを判定する判定手段とを備え、
前記送受信手段は、前記判定手段により関連付けられていると判定した前記サービス情報を送信し、前記サービス情報に基づいて実施された販売情報を受信することを特徴とする広告情報管理装置。
【請求項２】
広告情報の広告主に対する広告料金を含む料金情報を格納した料金情報格納手段と、
前記送受信手段により受信した販売情報に基づいて、前記受信した広告情報の広告主に対する広告料金を算出し、前記料金情報格納手段に格納する料金情報管理手段とを備えることを特徴とする請求項１に記載の広告情報管理装置。
【請求項３】
ページ中に含まれる広告に対するユーザからの指示に基づいて前記広告のリンク先であるリンクページへジャンプした場合、前記広告を指示したユーザをユニークに特定する接続情報と、前記ジャンプしたリンクページをユニークに特定する広告情報とによりユニークに定まる識別情報を受信し、
前記受信された識別情報に基づいて、ユーザに関するユーザ情報を格納するユーザ情報データベースに格納され、前記識別情報と関連付けられた広告情報を検索し、
前記検索された広告情報に基づいて、ページがアクセスされ、かつ取引が行なわれた場合に、広告情報を格納する広告情報データベースに格納されている広告情報を検索し、
前記検索された広告情報が、販売価格の割引きまたはサービスポイントの加算を含むサービス情報と関連付けられているか否かを判定し、
関連付けられていると判定した場合は、前記サービス情報を送信し、前記サービス情報に基づいて実施された販売情報を受信し、
前記受信した販売情報に基づいて、前記受信した広告情報の広告主に対する広告料金を算出し、広告情報の広告主に対する広告料金を含む料金情報を格納した料金情報データベースに格納することを特徴とする広告情報管理方法。
【請求項４】
Ｗｅｂサーバにアクセスすることにより、ページを取得して表示し、
前記表示されたページ中に含まれる広告を指示することにより、前記広告に組み込まれたアンカーで示されたリンクページを取得して表示し、
前記リンクページをユニークに特定する広告情報と前記指示をユニークに特定する接続情報を広告サーバへ送信し、
前記広告情報と前記接続情報とによりユニークに定まる識別情報を前記広告サーバから受信することを特徴とする広告情報管理方法。
【請求項５】
前記ページの表示、前記リンクページの表示、前記接続情報の送信、および前記識別情報の受信は、前記Ｗｅｂサーバおよび前記広告サーバが接続されたネットワークに接続したユーザ端末が行なうことを特徴とする請求項４に記載の広告情報管理方法。
【請求項６】
前記受信した識別情報を前記広告情報とともに前記広告サーバへ送信し、
前記広告情報に関連付けられた、販売価格の割引きまたはサービスポイントの加算を含むサービス情報を前記広告サーバから受信し、
前記サービス情報に基づいて、販売処理を実施し、
前記販売処理の実施に関する販売情報を前記広告サーバへ送信することを特徴とする請求項４または５に記載の広告情報管理方法。
【請求項７】
ユーザ端末によるページ中に含まれる広告に対する指示に基づいて前記広告からジャンプしたリンク先のリンクページをユニークに特定する広告情報と、前記広告を指示したユーザ端末をユニークに特定する接続情報とを受信し、
前記広告情報と前記接続情報とによりユニークに定まる識別情報を取得し、  前記識別情報を前記広告情報とともに前記ユーザ端末に送信することを特徴と
する広告情報管理方法。
【請求項８】
前記ユーザ端末に送信した識別情報と広告情報を販売端末から受信し、
前記受信した広告情報に関連付けられた、販売価格の割引き、サービスポイントの加算、割引券の提供、金券の提供、景品の提供のうち１つを含むサービス情報を前記販売端末へ送信し、
前記送信したサービス情報に基づいて実施された販売情報を前記販売端末から受信し、
前記販売情報に基づいて、前記受信した広告情報の広告主に対する広告料金を算出することを特徴とする請求項７に記載の広告情報管理方法。
【請求項９】
ページ中に含まれる広告に対するユーザからの指示に基づいて前記広告のリンク先であるリンクページへジャンプした場合、前記広告を指示したユーザをユニークに特定する接続情報と、前記ジャンプしたリンクページをユニークに特定する広告情報とによりユニークに定まる識別情報を受信し、
前記受信された識別情報に基づいて、ユーザに関するユーザ情報を格納するユーザ情報データベースに格納され、前記識別情報と関連付けられた広告情報を検索し、
前記検索された広告情報に基づいて、ページがアクセスされ、かつ取引が行なわれた場合に、広告情報を格納する広告情報データベースに格納されている広告情報を検索し、
前記検索された広告情報が、販売価格の割引きまたはサービスポイントの加算を含むサービス情報と関連付けられているか否かを判定し、
関連付けられていると判定した場合は、前記サービス情報を送信し、前記サービス情報に基づいて実施された販売情報を受信し、
前記受信した販売情報に基づいて、前記受信した広告情報の広告主に対する広告料金を算出し、広告情報の広告主に対する広告料金を含む料金情報を格納した料金情報データベースに格納する広告情報管理プログラムのプログラムコードを記録したコンピュータ読み取り可能な記録媒体。
【手続補正２】
【補正対象書類名】明細書
【補正対象項目名】０００６
【補正方法】変更
【補正の内容】
【０００６】
【課題を解決するための手段】
本発明は、上記課題を解決するため、以下のような構成を採用した。
すなわち、本発明の一態様によれば、本発明の広告情報管理装置は、ページ中に含まれる広告に対するユーザからの指示に基づいて前記広告のリンク先であるリンクページへジャンプした場合、前記広告を指示したユーザをユニークに特定する接続情報と、前記ジャンプしたリンクページをユニークに特定する広告情報とによりユニークに定まる識別情報を受信する送受信手段と、ユーザに関するユーザ情報を格納するユーザ情報格納手段と、広告情報を格納する広告情報格納手段と、前記送受信手段により受信された識別情報に基づいて、前記ユーザ情報格納手段に格納され、前記識別情報と関連付けられた広告情報を検索するユーザ情報検索手段と、前記ユーザ情報検索手段により検索された広告情報に基づいて、前記広告情報格納手段に格納されている広告情報を検索する広告情報検索手段と、前記広告情報検索手段により検索された広告情報が、販売価格の割引きまたはサービスポイントの加算を含むサービス情報と関連付けられているか否かを判定する判定手段とを備え、前記送受信手段は、前記判定手段により関連付けられていると判定した前記サービス情報を送信し、前記サービス情報に基づいて実施された販売情報を受信することを特徴とする。


【手続補正３】
【補正対象書類名】明細書
【補正対象項目名】０００７
【補正方法】変更
【補正の内容】
【０００７】
また、好適には、本発明の広告情報管理装置は、広告情報の広告主に対する広告料金を含む料金情報を格納した料金情報格納手段と、前記送受信手段により受信した販売情報に基づいて、前記受信した広告情報の広告主に対する広告料金を算出し、前記料金情報格納手段に格納する料金情報管理手段とを備えることが望ましい。


【手続補正４】
【補正対象書類名】明細書
【補正対象項目名】０００８
【補正方法】変更
【補正の内容】
【０００８】
また、本発明の一態様によれば、本発明の広告情報管理方法は、ページ中に含まれる広告に対するユーザからの指示に基づいて前記広告のリンク先であるリンクページへジャンプした場合、前記広告を指示したユーザをユニークに特定する接続情報と、前記ジャンプしたリンクページをユニークに特定する広告情報とによりユニークに定まる識別情報を受信し、前記受信された識別情報に基づいて、ユーザに関するユーザ情報を格納するユーザ情報データベースに格納され、前記識別情報と関連付けられた広告情報を検索し、前記検索された広告情報に基づいて、ページがアクセスされ、かつ取引が行なわれた場合に、広告情報を格納する広告情報データベースに格納されている広告情報を検索し、前記検索された広告情報が、販売価格の割引きまたはサービスポイントの加算を含むサービス情報と関連付けられているか否かを判定し、関連付けられていると判定した場合は、前記サービス情報を送信し、前記サービス情報に基づいて実施された販売情報を受信し、前記受信した販売情報に基づいて、前記受信した広告情報の広告主に対する広告料金を算出し、広告情報の広告主に対する広告料金を含む料金情報を格納した料金情報データベースに格納することを特徴とする。


【手続補正５】
【補正対象書類名】明細書
【補正対象項目名】０００９
【補正方法】変更
【補正の内容】
【０００９】
また、本発明の一態様によれば、本発明の広告情報管理方法は、Ｗｅｂサーバにアクセスすることにより、ページを取得して表示し、前記表示されたページ中に含まれる広告を指示することにより、前記広告に組み込まれたアンカーで示されたリンクページを取得して表示し、前記リンクページをユニークに特定する広告情報と前記指示をユニークに特定する接続情報を広告サーバへ送信し、前記広告情報と前記接続情報とによりユニークに定まる識別情報を前記広告サーバから受信することを特徴とする。


【手続補正６】
【補正対象書類名】明細書
【補正対象項目名】００１０
【補正方法】変更
【補正の内容】
【００１０】
また、好適には、本発明の広告情報管理方法は、前記ページの表示、前記リンクページの表示、前記接続情報の送信、および前記識別情報の受信は、前記Ｗｅｂサーバおよび前記広告サーバが接続されたネットワークに接続したユーザ端末が行なうことが望ましい。


【手続補正７】
【補正対象書類名】明細書
【補正対象項目名】００１１
【補正方法】変更
【補正の内容】
【００１１】
また、好適には、本発明の広告情報管理方法は、前記受信した識別情報を前記広告情報とともに前記広告サーバへ送信し、前記広告情報に関連付けられた、販売価格の割引きまたはサービスポイントの加算を含むサービス情報を前記広告サーバから受信し、前記サービス情報に基づいて、販売処理を実施し、前記販売処理の実施に関する販売情報を前記広告サーバへ送信することが望ましい。


【手続補正８】
【補正対象書類名】明細書
【補正対象項目名】００１２
【補正方法】変更
【補正の内容】
【００１２】
また、本発明の一態様によれば、本発明の広告情報管理方法は、ユーザ端末によるページ中に含まれる広告に対する指示に基づいて前記広告からジャンプしたリンク先のリンクページをユニークに特定する広告情報と、前記広告を指示したユーザ端末をユニークに特定する接続情報とを受信し、前記広告情報と前記接続情報とによりユニークに定まる識別情報を取得し、前記識別情報を前記広告情報とともに前記ユーザ端末に送信することが望ましい。


【手続補正９】
【補正対象書類名】明細書
【補正対象項目名】００１３
【補正方法】変更
【補正の内容】
【００１３】
また、好適には、本発明の広告情報管理方法は、前記ユーザ端末に送信した識別情報と広告情報を販売端末から受信し、前記受信した広告情報に関連付けられた、販売価格の割引き、サービスポイントの加算、割引券の提供、金券の提供、景品の提供のうち１つを含むサービス情報を前記販売端末へ送信し、前記送信したサービス情報に基づいて実施された販売情報を前記販売端末から受信し、前記販売情報に基づいて、前記受信した広告情報の広告主に対する広告料金を算出することが望ましい。


【手続補正１０】
【補正対象書類名】明細書
【補正対象項目名】００１４
【補正方法】変更
【補正の内容】
【００１４】
また、本発明の一態様によれば、本発明の広告情報管理プログラムのプログラムコードを記録したコンピュータ読み取り可能な記録媒体は、ページ中に含まれる広告に対するユーザからの指示に基づいて前記広告のリンク先であるリンクページへジャンプした場合、前記広告を指示したユーザをユニークに特定する接続情報と、前記ジャンプしたリンクページをユニークに特定する広告情報とによりユニークに定まる識別情報を受信し、前記受信された識別情報に基づいて、ユーザに関するユーザ情報を格納するユーザ情報データベースに格納され、前記識別情報と関連付けられた広告情報を検索し、前記検索された広告情報に基づいて、ページがアクセスされ、かつ取引が行なわれた場合に、広告情報を格納する広告情報データベースに格納されている広告情報を検索し、前記検索された広告情報が、販売価格の割引きまたはサービスポイントの加算を含むサービス情報と関連付けられているか否かを判定し、関連付けられていると判定した場合は、前記サービス情報を送信し、前記サービス情報に基づいて実施された販売情報を受信し、前記受信した販売情報に基づいて、前記受信した広告情報の広告主に対する広告料金を算出し、広告情報の広告主に対する広告料金を含む料金情報を格納した料金情報データベースに格納することを特徴とする。


【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】